(57)【要約】【課題】上部に蓋を開閉自在に設けた内鍋を加熱手段により加熱するジャー炊飯器において、ご飯のほぐし忘れを防ぎ、またご飯をほぐすことを使用者に推奨、啓発してよりおいしいご飯を食べることができるジャー炊飯器を提供する。【解決手段】調理物を入れる内鍋１０の上部に蓋１１を開閉自在に設け、内鍋１０を加熱手段１２により加熱し、調理物の温度を検知する温度検知手段１４からの入力や時間を計時する計時手段１６により駆動手段１３を制御する制御手段１５により炊飯、保温の動作を制御し、炊飯終了直後に炊飯終了お知らせ手段１７により炊飯終了報知音を鳴動させる。炊飯終了後に蓋開がない場合に、使用者にご飯をほぐすことを知らせる表示を行うほぐし表示手段２０に表示を行わせ、炊飯終了後に蓋開閉検知手段２１が蓋開を検知すると、すでにほぐしたものと判断し、ほぐし表示手段２０の表示を取り消すよう構成する。【選択図】図１
2005102971.tif 000002
【特許請求の範囲】
【請求項１】
炊飯器本体内部に設置され調理物を入れる内鍋と、前記内鍋の上部に開閉自在に設けた蓋と、前記内鍋を加熱する加熱手段と、前記加熱手段を駆動する駆動手段と、前記調理物の温度を検知する温度検知手段と、時間を計時する計時手段と、前記温度検知手段からの入力や前記計時手段により前記駆動手段を制御し炊飯、保温の動作を制御する制御手段と、報知音を鳴らす報知手段と、炊飯終了直後に前記報知手段に炊飯終了報知音を鳴動させる炊飯終了お知らせ手段と、前記蓋の開閉を検知する蓋開閉検知手段と、使用者にご飯をほぐすことを知らせる表示を行うほぐし表示手段と、炊飯終了後に蓋開がない場合に前記ほぐし表示手段に表示を行わせるほぐし表示開始手段と、前記ほぐし表示手段の表示を取り消す第一のほぐし表示停止手段と、炊飯終了後に前記蓋開閉検知手段が蓋開を検知するとすでにほぐしたものと判断して前記ほぐし表示手段の表示を取り消す第一のほぐし表示停止手段とを備えたジャー炊飯器。
【請求項２】
蓋開の時間がある一定時間より短い場合は、ご飯をほぐしていないと判断して第一のほぐし表示停止手段の動作を働かないようにする表示停止取消手段を付加した請求項１記載のジャー炊飯器。
【請求項３】
炊飯終了から一定時間たっても蓋開がない場合は、ほぐし表示手段の表示を消す第二のほぐし表示停止手段を付加した請求項１記載のジャー炊飯器。
【請求項４】
ほぐし表示手段の表示を点滅させるほぐし表示点滅手段を付加した請求項１記載のジャー炊飯器。
【請求項５】
ほぐしてないことによる食味の劣化を知らせるほぐしエラー表示手段と、炊飯終了から一定時間たっても蓋開がない場合は前記ほぐしエラー表示手段に表示を行わせるほぐしエラー表示開始手段を付加した請求項１記載のジャー炊飯器。
【請求項６】
ほぐしエラー表示手段の表示を点滅させるほぐしエラー表示点滅手段を付加した請求項５記載のジャー炊飯器。
【発明の詳細な説明】
【技術分野】
【０００１】
本発明は、上部に蓋を開閉自在に設けた内鍋を加熱手段により加熱するジャー炊飯器に関するものである。
【背景技術】
【０００２】
従来、この種のジャー炊飯器は図１６に示すように構成していた。以下、その構成について説明する。
【０００３】
図１６に示すように、内鍋１は炊飯器本体の内部に設置して調理物を入れるもので、内鍋１の上部に蓋２を開閉自在に設け、調理中は閉じている。内鍋１内の調理物は加熱手段３により加熱し、加熱手段３は駆動手段４によって駆動する。内鍋１内の調理物の温度は温度検知手段５によって検知し、制御手段６は温度検知手段５で検知した調理物温度や計時手段７で計時している時間を基に、駆動手段４を制御し炊飯動作を制御している。炊飯が終了すると炊飯終了お知らせ手段８が報知手段９に炊飯終了を報知させる（例えば、特許文献１参照）。
【特許文献１】特開平５−８０２０３号公報
【発明の開示】
【発明が解決しようとする課題】
【０００４】
一般に、ジャー炊飯器では、炊飯終了後は、一度蓋２を開けてご飯をしゃもじでほぐすことによりご飯内の余分な水分をとばし、炊きむらを均一化することによって、よりご飯をおいしくすることができる。
【０００５】
しかしながら、上記のような構成では、炊飯終了時に席を外していたといった場合等にご飯をほぐすことを忘れてしまい、また、使用者によってはご飯をほぐすことをしない、あるいは知らないがためによりおいしいご飯を食べる機会を逸しているといった問題を有していた。
【０００６】
本発明は上記従来の課題を解決するもので、ご飯のほぐし忘れを防ぎ、またご飯をほぐすことを使用者に推奨、啓発してよりおいしいご飯を食べることができるジャー炊飯器を提供することを目的とする。
【課題を解決するための手段】
【０００７】
本発明は上記目的を達成するために、炊飯器本体内部に調理物を入れる内鍋を設置し、内鍋の上部に蓋を開閉自在に設け、内鍋を駆動手段により駆動される加熱手段により加熱し、調理物の温度を検知する温度検知手段からの入力や時間を計時する計時手段により駆動手段を制御する制御手段により炊飯、保温の動作を制御し、炊飯終了直後に炊飯終了お知らせ手段により炊飯終了報知音を鳴動させ、炊飯終了後に蓋開がない場合に、使用者にご飯をほぐすことを知らせる表示を行うほぐし表示手段に表示を行わせ、炊飯終了後に蓋開閉検知手段が蓋開を検知すると、すでにほぐしたものと判断し、ほぐし表示手段の表示を取り消すよう構成したものである。
【０００８】
これにより、炊飯終了後に蓋が開かれていない場合はまだご飯はほぐされていないので、その場合にはほぐし表示手段の表示により使用者にご飯をほぐすことを知らせ、ほぐした後は、ほぐし表示手段の表示を消すことによって、ご飯のほぐし忘れを防ぎ、またご飯をほぐすことを使用者に推奨、啓発することができ、よりおいしいご飯を食べることができるジャー炊飯器を提供することができる。
【発明の効果】
【０００９】
本発明のジャー炊飯器は、ご飯のほぐし忘れを防ぎ、またご飯をほぐすことを使用者に推奨、啓発してよりおいしいご飯を食べることができる。
【発明を実施するための最良の形態】
【００１０】
第１の発明は、炊飯器本体内部に設置され調理物を入れる内鍋と、前記内鍋の上部に開閉自在に設けた蓋と、前記内鍋を加熱する加熱手段と、前記加熱手段を駆動する駆動手段と、前記調理物の温度を検知する温度検知手段と、時間を計時する計時手段と、前記温度検知手段からの入力や前記計時手段により前記駆動手段を制御し炊飯、保温の動作を制御する制御手段と、報知音を鳴らす報知手段と、炊飯終了直後に前記報知手段に炊飯終了報知音を鳴動させる炊飯終了お知らせ手段と、前記蓋の開閉を検知する蓋開閉検知手段と、使用者にご飯をほぐすことを知らせる表示を行うほぐし表示手段と、炊飯終了後に蓋開がない場合に前記ほぐし表示手段に表示を行わせるほぐし表示開始手段と、前記ほぐし表示手段の表示を取り消す第一のほぐし表示停止手段と、炊飯終了後に前記蓋開閉検知手段が蓋開を検知するとすでにほぐしたものと判断して前記ほぐし表示手段の表示を取り消す第一のほぐし表示停止手段とを備えたものであり、炊飯終了後に蓋が開かれていない場合はまだご飯はほぐされていないので、その場合にはほぐし表示手段の表示により使用者にご飯をほぐすことを知らせ、ほぐした後はほぐし表示手段の表示を消すことにより、ご飯のほぐし忘れを防ぎ、また、ご飯をほぐすことを使用者に推奨、啓発することもでき、よりおいしいご飯を食べることができる。
【００１１】
第２の発明は、上記第１の発明において、蓋開の時間がある一定時間より短い場合は、ご飯をほぐしていないと判断して第一のほぐし表示停止手段の動作を働かないようにする表示停止取消手段を付加したものであり、誤って一瞬だけ蓋を開けた場合や、ノイズ等による誤検知を除去することができ、正確にほぐし表示を行うことができる。
【００１２】
第３の発明は、上記第１の発明において、炊飯終了から一定時間たっても蓋開がない場合は、ほぐし表示手段の表示を消す第二のほぐし表示停止手段を付加したものであり、炊飯終了からあまりに時間がたってしまった場合は、温度も下がり、余計な水分もご飯に吸収されてしまい、ほぐしてもご飯の食味はよくならないので表示を消してしまい、意味がないほぐしをさせるのを防ぐことができ、必要なものだけを表示したシンプルな見やすい表示を実現できる。
【００１３】
第４の発明は、上記第１の発明において、ほぐし表示手段の表示を点滅させるほぐし表示点滅手段を付加したものであり、よりほぐし表示手段の表示を目立たせることができ、より使用者にほぐし表示を知らせることができる。
【００１４】
第５の発明は、上記第１の発明において、ほぐしてないことによる食味の劣化を知らせるほぐしエラー表示手段と、炊飯終了から一定時間たっても蓋開がない場合は前記ほぐしエラー表示手段に表示を行わせるほぐしエラー表示開始手段を付加したものであり、炊飯終了からあまりに時間がたってしまった場合は、温度も下がり、余計な水分もご飯に吸収されてしまってご飯の食味が劣化してしまい、ほぐしても食味にあまり影響がないといったことを使用者に知らせ、ほぐしを推奨し、ほぐしの有用性を啓蒙することができる。
【００１５】
第６の発明は、上記第５の発明において、ほぐしエラー表示手段の表示を点滅させるほぐしエラー表示点滅手段を付加したものであり、よりほぐしエラー表示手段の表示を目立たせることができ、より使用者にほぐしエラー表示を知らせることができる。
【００１６】
以下、本発明の実施の形態について、図面を参照しながら説明する。なお、この実施の形態によって本発明が限定されるものではない。
【００１７】
（実施の形態１）
図１に示すように、内鍋１０は炊飯器本体（図示せず）の内部に設置して調理物を入れるもので、内鍋１０の上部に蓋１１を開閉自在に設け、調理中は閉じている。内鍋１０内の調理物は加熱手段１２により加熱し、加熱手段１２は駆動手段１３によって駆動する。内鍋１０内の調理物の温度は温度検知手段１４によって検知し、制御手段１５は温度検知手段１４で検知した調理物温度や計時手段１６で計時している時間を基に、駆動手段１３を制御し炊飯動作を制御している。
【００１８】
炊飯が終了すると、炊飯終了お知らせ手段１７が報知手段１８に炊飯終了を報知させる。炊飯終了後、ほぐし表示開始手段１９がほぐし表示手段２０に表示を行い、使用者にご飯をほぐすことを知らせる。そして、蓋開閉検知手段２１が蓋１１の開いたのを検知すると、第一のほぐし表示停止手段２２は、使用者によってほぐしが行われたものと判断してほぐし表示手段２０のほぐし表示を消すようにしている。
【００１９】
具体回路図は、図２に示すように構成しており、加熱コイル２３により、内鍋１０が誘導加熱（以下、ＩＨという）される。商用電源２４から交流電源が供給され、ダイオードブリッジ２５によって整流し、平滑コンデンサ２７、共振コンデンサ２８、スイッチング素子２９、加熱コイル２４よりなるインバータ回路により、ＩＨのための高周波電力を発生させる。電源ＩＣ２９は動作のための電源を各回路に供給している。インバータ回路はドライブＩＣ３０とＩＨ制御用ＩＣ３１によって駆動している。マイコン３２はサーミスタ３３によって内鍋１０の温度を検知する。水晶発振子３４の発振によって、マイコン３０内のタイマをカウントして計時を行っている。そしてマイコン３０に入力された温度や計時している時間を基に、ＩＨ制御用ＩＣ３１を制御することにより、内鍋１０の加熱を制御して、炊飯を行っている。
【００２０】
蓋開閉検知スイッチ３５は蓋１１が開くとスイッチがオフし、蓋１１が閉じるとスイッチがオンすることにより、蓋開閉の検知を行う。報知はマイコン３２が発振信号を出力し、他励式のブザー３６を鳴動させることで行っている。表示は液晶表示素子３７（以下、ＬＣＤという）に行っている。制御手段１５、炊飯終了お知らせ手段１７、ほぐし表示開始手段１９、第一のほぐし表示停止手段２２の動作はマイコン３２のプログラムによって行っている。
【００２１】
図３は、マイコン３２のほぐし表示プログラムのフローチャートであり、図３において、ステップ３８で炊飯終了かどうかを判断し、まだ炊飯終了してない場合はこのプログラムの動作を終了し、すでに炊飯終了している場合は、ステップ３９へ行き、ＬＣＤ３７にほぐし表示を行わせる。図４はＬＣＤ３７のほぐし表示の例であり、このように表示することにより使用者にご飯をほぐすことを知らせることができる。
【００２２】
ステップ４０では、蓋開を検知したかどうかを判断しており、まだ蓋開を行っていない場合はこのプログラムの動作を終了し、蓋１１を開けた場合はステップ４１へ行き、ＬＣＤ３７のほぐし表示を消す。
【００２３】
このように、本実施の形態においては、炊飯終了後に蓋開がない場合に、使用者にご飯をほぐすことを知らせるほぐし表示手段２０に表示を行わせ、炊飯終了後に蓋開閉検知手段２１が蓋開を検知すると、ほぐし表示手段２０の表示を取り消すよう構成したので、炊飯終了時に席を外していた場合やほぐし忘れを防止し、またご飯をほぐすことを知らない使用者などの場合でも、ご飯をほぐさなければならないといった啓発につながり、ご飯をほぐし、よりおいしいご飯を食べることができる。
【００２４】
なお、本実施の形態では、ほぐしの完了を蓋開の検知で説明したが、蓋開から閉の検知でも同様の効果が得られることはいうまでもない。また、本実施の形態では、表示をＬＣＤで行ったが、ＬＥＤやネオンランプ等、他の表示素子で行っても同様の効果が得られることはいうまでもない。
【００２５】
（実施の形態２）
図５に示すように、表示停止取消手段４２は、蓋開の時間がある一定時間ｔ０より短い場合は、ご飯をほぐしていないと判断し、第一のほぐし表示停止手段２２の動作を取り消し、ほぐし表示手段２０の表示を行わせるものである。他の構成は上記実施の形態１と同じであるので同一符号を付して説明を省略する。
【００２６】
図６は、マイコン３０のほぐし表示プログラムのフローチャートであり、このプログラムは、上記実施の形態１のプログラムにステップ４３を追加したものである。
【００２７】
ステップ４０で蓋開を検知するとステップ４３へ進み、ステップ４３では、蓋１１を開けた時間ｔが一定時間ｔ０より長いかどうかを判断して、時間ｔが一定時間ｔ０よりも長い場合は、すでにこの時間ｔの間にご飯をほぐしたものと判断して、ステップ４１へ進み、ＬＣＤ３７のほぐし表示を消す。
【００２８】
時間ｔが一定時間ｔ０よりも短い場合は、この時間ｔの間にご飯をほぐしていないものと判断して、このプログラムを終了させる。例えばｔ０＝０．５秒ならば、そんな短時間でご飯をほぐすことができないので、０．５秒以下の蓋開を無視するといったように動作を行う。
【００２９】
このように、本実施の形態においては、蓋開の時間がある一定時間ｔ０より短い場合は、ご飯をほぐしていないと判断し、第一のほぐし表示停止手段２２の動作を取り消す表示停止取消手段４２を付加しているので、短時間の蓋開の場合は蓋開の検知を無視し、ほぐし表示を消さないようにすることにより、誤って一瞬だけ蓋を開けた場合や、ノイズ等による誤検知を除去することができ、正確にほぐし表示を行うことができる。
【００３０】
（実施の形態３）
図７に示すように、第二のほぐし表示停止手段４４は、炊飯終了からの時間Ｔが一定時間Ｔ０より長くなっても蓋が開かない場合は、ほぐし表示手段２０の表示を消すものである。他の構成は上記実施の形態１と同じであるので同一符号を付して説明を省略する。
【００３１】
図８は、マイコン３０のほぐし表示プログラムのフローチャートであり、このプログラムは、上記実施の形態１のプログラムにステップ４５を追加したものである。
【００３２】
ステップ４０で炊飯終了後まだ蓋が開けられていないと判断するとステップ４５へ進み、ステップ４５では、炊飯終了からの時間Ｔが一定時間Ｔ０より長いかどうかを判断して、時間Ｔが一定時間Ｔ０よりも長い場合はステップ４１へ進み、ＬＣＤ３７のほぐし表示を消す。時間Ｔが一定時間Ｔ０よりも短い場合はこのプログラムを終了させる。例えば、Ｔ０＝１時間ならば、炊飯終了後１時間経過するとほぐし表示手段２０の表示を消すといったように動作を行う。
【００３３】
このように、本実施の形態においては、炊飯終了から一定時間たっても蓋開がない場合は、ほぐし表示手段２０の表示を消す第二のほぐし表示停止手段４４を付加しているので、炊飯終了からあまりに時間が経過してしまった場合は温度も下がり、余計な水分もご飯に吸収されてしまい、ほぐしてもご飯の食味はよくならないので表示を消してしまい、意味がないほぐしをさせるのを防ぎ、必要なものだけを表示したシンプルな見やすい表示を実現できる。
【００３４】
（実施の形態４）
図９に示すように、ほぐし表示点滅手段４６は、ほぐし表示手段２０の表示をτ０秒間行い、τ１秒間消すといった動作を繰り返すことによって、ほぐし表示手段２０の表示を点滅させるようにしている。他の構成は上記実施の形態１と同じであるので同一符号を付して説明を省略する。
【００３５】
図１０は、マイコン３０のほぐし表示プログラムのフローチャートであり、このプログラムは、上記実施の形態１のプログラムにステップ４７からステップ４９を追加したものである。
【００３６】
ステップ３９でＬＣＤ３７にほぐし表示を行った後、ステップ４７でτ０秒間経過していなければステップ４０へ進み、τ０秒間経過していればステップ４８へ進み、さらにτ１秒間経過しているかどうかを見る。τ１秒間経過していないならば、ステップ４１へ進み、ＬＣＤ３７のほぐし表示を消す。さらにτ１秒間経過したならばステップ４９へ進み、タイマτをクリアして動作を繰り返す。例えば、τ０＝０．７秒、τ１＝０．３秒とすると、０．７秒点灯、０．３秒消灯という点滅の動作を実現することができる。
【００３７】
このように、本実施の形態においては、ほぐし表示手段２０の表示を点滅させるほぐし表示点滅手段４６を付加したので、より表示を目立たせることができ、注目度を上げ、使用者に強い印象でほぐし表示を知らせることができる。
【００３８】
（実施の形態５）
図１１に示すように、ほぐしエラー表示手段５１は、ご飯をほぐしてないことによる食味の劣化を知らせるものであり、炊飯終了からの時間Ｔが一定時間Ｔ１より長くなっても蓋が開かない場合は、ほぐしエラー表示開始手段５０によりほぐしエラー表示手段５１に表示を行わせるようにしている。図１２はＬＣＤ３７をほぐしエラー表示手段５１として使用した場合の表示例であり、このように表示することにより、ほぐしてないことによるご飯の食味劣化を使用者に知らせることができる。他の構成は上記実施の形態１と同じであるので同一符号を付して説明を省略する。
【００３９】
図１３は、マイコン３０のほぐし表示プログラムのフローチャートであり、このプログラムは、上記実施の形態１のプログラムにステップ５２、ステップ５３を追加したものである。
【００４０】
ステップ４０で炊飯終了後まだ蓋が開けられていないと判断すると、ステップ５２へ進み、ステップ５２では、炊飯終了からの時間Ｔが一定時間Ｔ１より長いどうかを判断して、時間Ｔが一定時間Ｔ１よりも長い場合はステップ５３へ進みＬＣＤ３７にほぐしエラー表示を行わせる。時間Ｔが一定時間Ｔ１よりも短い場合はこのプログラムを終了させる。例えば、Ｔ１＝１時間ならば、炊飯終了後１時間経過するとほぐしエラー表示を行う。
【００４１】
このように、本実施の形態においては、ほぐしエラー表示を行うことにより、炊飯終了からあまりに時間がたってしまった場合は、温度も下がり、余計な水分もご飯に吸収されてしまってご飯の食味が劣化してしまい、ほぐしても食味にあまり影響がないといったことを使用者に知らせ、ほぐしを推奨し、ほぐしの有用性を啓蒙することができる。
【００４２】
なお、本実施の形態では、ほぐしエラー表示として、ＬＣＤ３７に文章を表示したがエラーコード等を表示しても同様の効果が得られるのはいうまでもない。また、表示をＬＣＤで行ったが、ＬＥＤやネオンランプ等、他の表示素子で行っても同様の効果が得られることはいうまでもない。
【００４３】
（実施の形態６）
図１４に示すように、ほぐし表示点滅手段５４は、エラー表示手段５１の表示をτ２秒間行い、τ３秒間消すといった動作を繰り返すことによって、ほぐしエラー表示手段５１の表示を点滅させるようにしている。他の構成は上記実施の形態１と同じであるので同一符号を付して説明を省略する。
【００４４】
図１５は、マイコン３０のほぐし表示プログラムのフローチャートであり、このプログラムは、上記実施の形態５のプログラムにステップ５５からステップ５８を追加したものである。
【００４５】
ステップ５３でＬＣＤ３７にほぐしエラー表示を行った後、ステップ５５でτ２秒間経過していなければプログラム動作を終了する。τ２秒間経過していればステップ５６へ進み、さらにτ３秒間経過しているかどうかを見る。τ３秒間経過していなければステップ５７へすすみ、ＬＣＤ３７のほぐしエラー表示を消す。さらにτ３間経過したならばステップ５８へ進み、タイマτをクリアして動作を繰り返す。例えば、τ２＝０．７秒、τ３＝０．３秒とすると、０．７秒点灯、０．３秒消灯といった点滅の動作を実現することができる。
【００４６】
このように、本実施の形態においては、ほぐしエラー表示手段５１の表示を点滅させることにより、より表示を目立たせることができ、注目度を上げ、使用者に強い印象でほぐしエラー表示を知らせることができる。
【産業上の利用可能性】
【００４７】
以上のように、本発明にかかるジャー炊飯器は、ご飯のほぐし忘れを防ぎ、またご飯をほぐすことを使用者に推奨、啓発してよりおいしいご飯を食べることができるので、上部に蓋を開閉自在に設けた内鍋を加熱手段により加熱するジャー炊飯器として有用である。
【図面の簡単な説明】
【００４８】
【図１】本発明の実施の形態１におけるジャー炊飯器のブロック図
【図２】同ジャー炊飯器の回路図
【図３】同ジャー炊飯器の要部動作フローチャート
【図４】同ジャー炊飯器のほぐし表示手段の表示内容を示す図
【図５】本発明の実施の形態２におけるジャー炊飯器のブロック図
【図６】同ジャー炊飯器の要部動作フローチャート
【図７】本発明の実施の形態３におけるジャー炊飯器のブロック図
【図８】同ジャー炊飯器の要部動作フローチャート
【図９】本発明の実施の形態４におけるジャー炊飯器のブロック図
【図１０】同ジャー炊飯器の要部動作フローチャート
【図１１】本発明の実施の形態５におけるジャー炊飯器のブロック図
【図１２】同ジャー炊飯器のほぐしエラー表示手段の表示内容を示す図
【図１３】同ジャー炊飯器の要部動作フローチャート
【図１４】本発明の実施の形態６におけるジャー炊飯器のブロック図
【図１５】同ジャー炊飯器の要部動作フローチャート
【図１６】従来のジャー炊飯器のブロック図
【符号の説明】
【００４９】
１０  内鍋
１１  蓋
１２  加熱手段
１３  駆動手段
１４  温度検知手段
１５  制御手段
１６  計時手段
１７  炊飯終了お知らせ手段
１８  報知手段
１９  ほぐし表示開始手段
２０  ほぐし表示手段
２１  蓋開閉検知手段
２２  第一のほぐし表示停止手段
【図１】
2005102971.tif 000003
【図２】
2005102971.tif 000004
【図３】
2005102971.tif 000005
【図４】
2005102971.tif 000006
【図５】
2005102971.tif 000007
【図６】
2005102971.tif 000008
【図７】
2005102971.tif 000009
【図８】
2005102971.tif 000010
【図９】
2005102971.tif 000011
【図１０】
2005102971.tif 000012
【図１１】
2005102971.tif 000013
【図１２】
2005102971.tif 000014
【図１３】
2005102971.tif 000015
【図１４】
2005102971.tif 000016
【図１５】
2005102971.tif 000017
【図１６】
2005102971.tif 000018